(57)【要約】  利用可能な複数のＨＡＲＱプロファイルの中からユーザー端末のためのハイブリッド自動リピート要求ＨＡＲＱプロファイルを定義するステップを含む方法が開示されている。一実施形態において、ＨＡＲＱプロファイルは、端末内で受信されつつあるダウンリンク伝送と、端末から伝送されると予期されている対応するアップリンク制御情報との間の第１の時間間隔と、端末から伝送されつつあるアップリンク制御情報と端末内で受信されると予期されている最も早い対応するダウンリンク再伝送との間の第２の時間間隔と、を標示している。別の実施形態において、ＨＡＲＱプロファイルは、基地局端末内で受信されつつあるアップリンク伝送と、基地局から伝送されると予期されている対応するダウンリンク制御情報との間の第３の時間間隔と、基地局から伝送されつつあるダウンリンク情報と前記基地局内で受信されると予期されている最も早い対応するアップリンク再伝送との間の第４の時間間隔と、を標示している。
2017518659.tif 000002
【特許請求の範囲】
【請求項１】
通信システムにおける伝送制御方法において、ネットワーク装置内で、利用可能な複数のハイブリッド自動リピート要求プロファイルの中からユーザー端末のためのハイブリッド自動リピート要求プロファイルを定義するステップを含む、方法であって、
前記ハイブリッド自動リピート要求プロファイルが、
−  前記ユーザー端末内で受信されつつあるダウンリンク伝送と、前記ユーザー端末から伝送されると予期されている対応するアップリンク制御情報との間の第１の時間間隔と、
−  前記ユーザー端末から伝送されつつある前記アップリンク制御情報と前記ユーザー端末内で受信されると予期されている最も早い対応するダウンリンク再伝送との間の第２の時間間隔と、
を標示している、方法。
【請求項２】
通信システムにおける伝送制御方法において、ネットワーク装置内で、利用可能な複数のハイブリッド自動リピート要求プロファイルの中からユーザー端末のためのハイブリッド自動リピート要求プロファイルを定義するステップを含む、方法であって、
前記ハイブリッド自動リピート要求プロファイルが、
−  基地局内で受信されつつあるアップリンク伝送と、前記基地局から伝送されると予期されている対応するダウンリンク制御情報との間の第３の時間間隔と、
−  前記基地局から伝送されつつある前記ダウンリンク情報と前記基地局内で受信されると予期されている最も早い対応するアップリンク再伝送との間の第４の時間間隔と、
を標示している、方法。
【請求項３】
前記ハイブリッド自動リピート要求プロファイルが、予め定義されるかまたはセルに対する初期アクセス中に定義されることを特徴とする請求項１または２に記載の方法。
【請求項４】
前記システム内でデータおよび関連する制御信号を処理するために予約されている時間を調整することにより、フレキシブルハイブリッド自動リピート要求タイミングを提供するステップを特徴とする請求項１、２または３に記載の方法。
【請求項５】
前記アップリンク制御情報および前記ダウンリンク情報のうちの少なくとも１つが、確認メッセージまたは否定的確認メッセージを含むことを特徴とする請求項１ないし４のいずれかに記載の方法。
【請求項６】
前記アップリンク伝送が、アップリンクスケジュール済メッセージを含むことを特徴とする、請求項１ないし５のいずれかに記載の方法。
【請求項７】
前記ダウンリンク情報がアップリンク・スケジューリング許諾メッセージを含むことを特徴とする請求項１ないし６のいずれかに記載の方法。
【請求項８】
前記ハイブリッド自動リピート要求プロファイルが、デバイス特有、デバイス・タイプ特有、セル特有およびサービスタイプ特有のうちの１つ以上であることを特徴とする請求項１ないし７のいずれかに記載の方法。
【請求項９】
前記ハイブリッド自動リピート要求プロファイルに関与する変動数または固定数の異なるハイブリッド自動リピート要求プロセスを定義するステップを特徴とする請求項１ないし８のいずれかに記載の方法。
【請求項１０】
前記ハイブリッド自動リピート要求プロファイルに関与する異なるハイブリッド自動リピート要求プロセスのための可変的伝送時間間隔ＴＴＩの長さを定義するステップを特徴とする請求項１ないし９のいずれかに記載の方法。
【請求項１１】
周波数および時間資源を含む共通の資源空間内に、多数のハイブリッド自動リピート要求プロファイルが共存していることを特徴とする請求項１ないし１０のいずれかに記載の方法。
【請求項１２】
前記ユーザー端末の能力クラスに基づいて、前記ユーザー端末のためのハイブリッド自動リピート要求ループタイミングを定義するステップを特徴とする請求項１ないし１１のいずれかに記載の方法。
【請求項１３】
前記ユーザー端末が高速応答能力あるユーザー端末であることまたは、前記ユーザー端末が下位ハイブリッド自動リピート要求ループ遅延能力あるユーザー端末であることを定義するステップを特徴とする請求項１ないし１２のいずれかに記載の方法。
【請求項１４】
前記システム内の既定の事象に応答して、１つのアクティブセッション中に前記ユーザー端末のために動的にハイブリッド自動リピート要求ループ遅延を再構成するステップを特徴とする請求項１ないし１３のいずれかに記載の方法。
【請求項１５】
異なるハイブリッド自動リピート要求プロファイルを有するユーザー端末のために共有制御チャネル内で別個のＨＡＲＱ−ＡＣＫ制御チャネル部分を定義するステップを特徴とする請求項１ないし１４のいずれかに記載の方法。
【請求項１６】
前記ハイブリッド自動リピート要求プロファイルにしたがって、１サブフレームあたりのハイブリッド自動リピート要求バッファのサイズとハイブリッド自動リピート要求プロセスの最大数のうちの少なくとも１つを定義するステップを特徴とする請求項１ないし１５のいずれかに記載の方法。
【請求項１７】
前記ユーザー端末のための２方向ハイブリッド自動リピート要求プロファイルを定義するステップを特徴とし、前記２方向ハイブリッド自動リピート要求プロファイルが前記ユーザー端末のためのダウンリンクハイブリッド自動リピート要求プロファイルとアップリンクハイブリッド自動リピート要求プロファイルとを含む、請求項１ないし１６のいずれかに記載の方法。
【請求項１８】
少なくとも１つのプロセッサと、コンピュータプログラムコードを含む少なくとも１つのメモリとを含む装置において、前記少なくとも１つのメモリおよび前記コンピュータプログラムコードが、前記少なくとも１つのプロセッサと共に装置に請求項１ないし７のいずれかに記載の方法を実施させるように構成されていることを特徴とする装置。
【請求項１９】
前記プログラムがコンピュータ上で実行されるとき、請求項１ないし１７に記載の方法ステップのいずれかを実施するように構成されたプログラムコード手段を含むことを特徴とするコンピュータプログラム製品。
【発明の詳細な説明】
【技術分野】
【０００１】
本願発明の例示的で非限定的な実施形態は、概して、無線通信ネットワークに関し、より具体的には伝送制御に関する。
【背景技術】
【０００２】
背景技術についての以下の説明は、本願発明に先行する関連技術においては既知ではないが、本願発明によって提供される見識、発見、理解や開示、あるいは関連するものを含むことがありえる。本願発明のこのような寄与には、以下で具体的に指摘されているものもありえるが、その文脈から明らかになるものもある。
【０００３】
動的周波数スケーリング（ＣＰＵスロットリングとしても公知）は、電力を保存するため、あるいは、チップにより生成される熱の量を削減するために「オン・ザ・フライ」で自動的にマイクロプロセッサの周波数を調整できる技術である。動的周波数スケーリングは、エネルギーがバッテリから来るものであって、制限されているラップトップ型コンピュータや他のモバイル機器において一般に使用されている。それは、また、静かなコンピュータ環境において、負荷の軽いマシンのエネルギーや冷却コストを低減させるためにも使用される。より小さい熱出力は、次に、システムの冷却用ファンをスロットル・ダウンあるいはオフにすることを可能にし、ノイズ・レベルを削減し、さらに電力消費量を低減する。それは、また、温度がある閾値に達した場合に、冷却が不充分であるシステム内の熱を削減するためにも使用される。静的電力消費量および漸近的な実行時間のために、１つのソフトウェアのエネルギー消費量は凸形のエネルギー挙動を示す。すなわち、エネルギー消費が最小である最適なＣＰＵ周波数が存在する。トランジスタのサイズが小さくなり閾値電圧レベルが低下するにつれて、漏れ電流は、ますます重要になる。動的周波数スケーリングは、所与の期間内にプロセッサが発することができる命令の数を削減し、そして、性能を低下させる。
【発明の概要】
【０００４】
以下では、本願発明の一部の態様を基本的に理解できるようにするため、本願発明の簡略化された概要が提示されている。この概要は、本願発明の広範な概説ではない。これは本願発明の主要な／重要な要素を識別することまたは本願発明の範囲を詳しく説明することを意図したものではない。その唯一の目的は、以下で提示されるさらに詳細な説明に対する序幕として簡略化した形態で本願発明の一部の概念を提示することにある。
【０００５】
本願発明のさまざまな態様には、独立クレーム中で定義されている方法、装置およびコンピュータプログラム製品が含まれる。本願発明のさらなる実施形態は、従属クレーム中に開示されている。
【０００６】
本願発明の一実施形態は、通信システムにおける伝送制御方法において、ネットワーク装置内で、利用可能な複数のハイブリッド自動リピート要求プロファイルの中からユーザー端末のためのハイブリッド自動リピート要求プロファイルを定義するステップを含む方法であって、ハイブリッド自動リピート要求プロファイルが、ユーザー端末内で受信されつつあるダウンリンク伝送と、ユーザー端末から伝送されると予期されている対応するアップリンク制御情報との間の第１の時間間隔と、ユーザー端末から伝送されつつあるアップリンク制御情報とユーザー端末内で受信されると予期されている最も早い対応するダウンリンク再伝送との間の第２の時間間隔と、を標示している方法に関する。
【０００７】
本願発明のさらなる一態様は、通信システムにおける伝送制御方法において、ネットワーク装置内で、利用可能な複数のハイブリッド自動リピート要求プロファイルの中からユーザー端末のためのハイブリッド自動リピート要求プロファイルを定義するステップ、を含む方法であって、ハイブリッド自動リピート要求プロファイルが、基地局内で受信されつつあるアップリンク伝送と、基地局から伝送されると予期されている対応するダウンリンク制御情報との間の第３の時間間隔と、基地局から伝送されつつあるダウンリンク情報と基地局内で受信されると予期されている最も早い対応するアップリンク再伝送との間の第４の時間間隔と、を標示している方法に関する。
【０００８】
本願発明のさらなる一態様は、少なくとも１つのプロセッサと、コンピュータプログラムコードを含む少なくとも１つのメモリとを含む装置において、少なくとも１つのメモリおよびコンピュータプログラムコードが、少なくとも１つのプロセッサと共に装置に方法ステップのいずれかを実施させるように構成されている、装置に関する。
【０００９】
本願発明のさらなる一態様は、プログラムがコンピュータ上で実行されるとき、方法ステップのいずれかを実施するように構成されたプログラムコード手段を含むコンピュータプログラム製品に関する。
【００１０】
本願発明のさまざまな態様、実施形態および特徴が独立して列挙されたが、本願発明のさまざまな態様、実施形態および特徴のあらゆる組合せが可能であり、請求されている本願発明の範囲内に入るということを認識すべきである。
【００１１】
以下では、添付図面を参照しながら例示的実施形態を用いて、本願発明についてさらに詳細に説明する。
【図面の簡単な説明】
【００１２】
【図１】同期的ＬＴＥ  ＵＬにおけるタイミング関係を例示する。
【図２】可変的数のＨＡＲＱプロセスを伴う例示的ＨＡＲＱタイミング・プロファイルを例示する。
【図３】固定された数のＨＡＲＱプロセスを伴う例示的ＨＡＲＱタイミング・プロファイルを例示する。
【図４】例示的システム・アーキテクチャを例示する簡略化されたブロック図を示す。
【図５】例示的装置を例示する簡略化したブロック図を示す。
【図６】本願発明の一実施形態に係る例示的メッセージング事象を例示する、メッセージング図を示す。
【図７】本願発明の一実施形態に係る例示的メッセージング事象を例示する、メッセージング図を示す。
【図８】本願発明の例示的実施形態に係る流れ図の概略図を示す。
【図９】本願発明の例示的実施形態に係る流れ図の概略図を示す。
【発明を実施するための形態】
【００１３】
１つの例示的実施形態は、ＬＴＥ−ａｄｖａｎｃｅｄの将来進化などの次世代無線システムまたは完全に新規の無線システムの将来世代に関する。１つの例示的実施形態は、ＨＡＲＱがパケット伝送のエラーに対する保護を提供することから、高いスペクトル効率を可能にするために既存のセルラー無線通信システム内で使用されるＨＡＲＱ（ハイブリッド自動リピート要求）オペレーションに関する。このような伝送／受信エラーは、典型的には、誤ったチャネル情報、変更されたチャネル条件またはさらに、可能なかぎり最大限の処理量を得るためにスケジューリングユニットが使用される変調およびコード化スキームを限界まで押し進める攻撃的なリンク適応化のいずれかのために発生する。
【００１４】
ＬＴＥおよびＨＳＰＡなどの近代的な無線通信規格の既存のバージョンにおいては、ユーザープレーンデータの動的にスケジュールされた伝送に対する強い依存性が存在する。このことはすなわち、（３ＧＰＰＬＴＥではｅＮＢと呼ばれる）基地局が最初に、ユーザー機器（ＵＥ）に対してダウンリンク制御情報（ＤＣＩ）メッセージを送ることを意味する。このＤＣＩには、ダウンリンク方向については資源配分メッセージ（使用される物理的資源、変調およびコード化スキームについての情報、ＨＡＲＱ情報−プロセスＩＤおよび新規データが存在するか否かなど）、そしてＵＥがアップリンク伝送を実施することが予期されている場合のためのアップリンク許諾が含まれる。ここでアップリンク許諾は、使用されるべき物理的資源、変調およびコード化スキームに関する情報、ＨＡＲＱ関連情報、およびデータの復調のために使用すべき参照記号の特定のシーケンスを含んでいる。アップリンクとダウンリンクの両方のための各々の提起的スケジューリング決定は、ｅＮＢにより制御される。最も効率の良いオペレーションを可能にするため、システムの内部で特別のことが起こると想定されている時点に関する非常に厳格なタイミング関係が存在する。典型的には、スケジューリング許諾、データの伝送、ＨＡＲＱフィードバックの伝送および考えられる最も早い再伝送時間の間には、固定された関係が存在する。これらの固定されたタイミング関係は、システムの近最適オペレーションを得るために導入されてきた。固定タイミング関係を使用することで、各ＵＥが潜在的に連続的なデータ伝送／受信を有することができるような形でパイプラインにデータを充填する可能性だけでなく、（ＰＵＣＣＨベースのアップリンクチャンネルおよびＰＨＩＣＨダウンリンクチャンネルなどの）フィードバックチャンネルのための効率の良い暗黙の資源配分を行うことのできる可能性もが提供される。
【００１５】
通信システムのために固定されかつ予め定義されたタイミング構造を使用することは、データを受信しているノード上でいくつかの処理時間要件を設定することである。
【００１６】
無線インターフェース・レイテンシー（すなわちＨＡＲＱタイミング）は同様に、コストに対して多大な影響を及ぼす。例えば、これは、ＨＡＲＱバッファのサイズを定義する。レイテンシーが緩めば緩むほど、より多くのデータ・バッファリングが必要となる（ＨＡＲＱタイミングの削減は、データ・バッファリングのためにコストの増大を導く場合がある）。その上、過大な処理時間は同様に、少なくとも一部のＭＴＣシナリオにおいてデータ呼出しの長さを増大させ、このことはＵＥ電力消費量に対してマイナスの影響を及ぼす。他方では、最高のデータ・レート／最高の負荷の場合、ＵＥおよび／またはｅＮＢのベースバンド処理能力が、レイテンシーを削減する上での制限因子となり得る。これらの場合において、無線インターフェース・レイテンシーを削減する余地は全くなくなる可能性がある。変動する要件のため、固定ＨＡＲＱタイミング・アプローチは、次の通信システムにとって適切なものではない。
【００１７】
ＬＴＥでのＨＡＲＱオペレーション（ダウンリンクＨＡＲＱオペレーションおよびアップリンクＨＡＲＱオペレーション）に関して、既存のシステムは、伝送、フィードバックおよび潜在的には新規の再伝送のために固定タイミング関係を考慮していた。
【００１８】
図１は、８つの並行ＨＡＲＱプロセスを用いてストップ・アンド・ウェイトＨＡＲＱが適用される同期ＬＴＥ  ＵＬでのタイミング関係（ＦＤＤモード）を例示している。
【００１９】
処理能力の観点から見ると、３ＧＰＰシステムは、より少ないＨＡＲＱバッファを有するＵＥ能力がいくつか存在するために、幾分かの差別化を許容してきたが、これらの能力クラスのためのタイミング要件は、なおも固定され、各規格から定義されている。
【００２０】
動的周波数スケーリングの概念は、処理能力を現行のニーズに調整するためにプロセッサの速度を「スロットリングする」ことと関連する。
【００２１】
さらに、電力消費量の観点から見ると、迅速に計算して結果の応用を待機することに比べ、ゆっくりと計算してジャストインタイムで準備が整った状態となる方が良い。
【００２２】
他方では、トランシーバのモデム部分の「オンタイム」を最小限に抑えるためには、データを可能なかぎり速く搬送するのが、典型的に最も電力効率が良い。
【００２３】
一例示的実施形態は、無線システムにおける可変的なＨＡＲＱフィードバックタイミングおよびオペレーションの導入を可能にしている。
【００２４】
一例示的実施形態においては、異なるモバイルユニット（すなわちユーザー機器ＵＥ）が、例えばＵＥが遭遇する条件などに応じて、異なる処理時間要件を有し得る。
【００２５】
一例示的実施形態においては、フレキシブルＨＡＲＱタイミングの概念が、無線システム内に導入される。この原理を実装できる方法は数多く存在する。１つの例示的原理は、ＵＥまたはｅＮＢが通信リンクの両端部においてデータの実際の処理を行なうためのより多くの（またはより少ない）時間を有することができるような形で、ＨＡＲＱタイミングのフレキシビリティを許容することである。例えば、ＵＥがダウンリンク伝送を受信する時点とＵＥが関連するアップリンク制御情報（アップリンク内のａｃｋ／ｎａｃｋ）を提供すると予測されている時点との間の時間間隔が、構成可能であり得る（またはセルに対する初期アクセス中に定義され得る）。相応して、ＵＥが最も早く再伝送を予測するまでｅＮＢがアップリンク制御情報を処理しなければならない時間も構成可能であり得る。同じ原理は、アップリンク・スケジューリングについても適用できる（ここでは、スケジューリング許諾、アップリンク伝送、ダウンリンク再伝送の標示および潜在的再伝送の間に、構成可能な遅延を伴う）。
【００２６】
一例示的実施形態においては、（少なくとも）２つのノードが関与する通信のために、異なるＨＡＲＱタイミング・プロファイルを伴う、異なる（構成）オプションが利用可能になっており、ここで、各ＨＡＲＱタイミング・プロファイルは、通信リンクの両端部でのデータおよび制御処理のために定義される予め定義された処理時間を有する。これらのオプションは、例えば、１つのデバイスカテゴリ（例えばＭＴＣ／低データレートデバイス）が１つのＨＡＲＱタイミング・プロファイルを適用し、一方別のデバイス・タイプ（例えばデータ処理を中心とするＵＥ）が別のＨＡＲＱタイミング・プロファイルを適用するような形で使用され得る。適用されるＨＡＲＱタイミング・プロファイルは同様に、セルおよび／またはサービスのタイプによっても左右され得る。異なるＨＡＲＱタイミング・プロファイルには、異なる数のＨＡＲＱプロセスが関与する場合もあればしない場合もある。
【００２７】
一例示的実施形態においては、多数のＨＡＲＱタイミング・プロファイルが、周波数および時間資源を含む共通の資源空間の中に共存する。
【００２８】
ＨＡＲＱを動作させる１つの例示的アプローチは、ＨＡＲＱ制御ループが典型的に考慮される方法に対し有意な変化を導入することができる。他方では、これにより、異なるＵＥが異なる方法で動作することができるようになる。極端な場合においては、極めて低い電力消費量で機能している可能性がありかつ毎秒制限された処理サイクルが利用可能であり得る一部の非常に低電力のＵＥ（例えばＭＴＣデバイス）は、超高速応答で高い処理能力を有するデバイスと同じシステム内で動作している場合がある。この場合、ｅＮＢまたはアクセスポイントは、制御チャンネル上に全く衝突が発生しないことを保証するためより多くのブックキーピングを有することができる（データチャンネルは、例えば周波数ドメインマルチプレクシングに基づいて多重化され得る）。
【００２９】
一例示的実施形態において、ＨＡＲＱループタイミングの差は、ＵＥ能力クラスを通して定義され、こうして、システムは高速応答能力を有するＵＥおよびより低いＨＡＲＱループ遅延能力を有するいくつかのＵＥを含むことができる。
【００３０】
一例示的実施形態において、ＵＥ内（またはネットワーク内）で一部の条件が変化する場合、アクティブセッション中に動的にＨＡＲＱループ遅延を再構成することが可能である。
【００３１】
一例示的実施形態においては、異なるＨＡＲＱループタイミングは、互いの「２の累乗」として定義され、こうしてＨＡＲＱ遅延ループ内の各遅延には、２、４、８または１６が乗じられる。このようにして、ブックキーピングが、異なるＨＡＲＱプロセスにしたがってスケーリングを行うことは比較的容易である。同様に、異なるＨＡＲＱタイミング・プロファイルを有するＵＥについて共有制御チャンネル内の別個の（ＨＡＲＱ−ＡＣＫ）制御チャンネルを定義することも可能である。
【００３２】
一例示的実施形態においては、ｅＮＢ（または類似の制御デバイス）が、（ネットワーク内の各ＵＥのオペレーションを類似したものにするために）ＵＥが本来動作しているよりも長いループ遅延でＵＥを強制的に動作させることが可能であり得る。
【００３３】
一例示的実施形態においては、ループ遅延のシグナリングは、明示的（すなわち影響を受けたＵＥに向けた直接的シグナリング）または暗示的（すなわちネットワーク内の一定の条件から導出される）のいずれかであり得る。
【００３４】
一例示的実施形態では、適用されるＨＡＲＱタイミング・プロファイルは、システム情報を介して構成され得る。適用されるＨＡＲＱタイミング・プロファイルは、各ＵＥに共通のセル特有パラメータとされ得る。同様に、異なるＵＥクラスのために別々に構成を作製すること、または適用されるＨＡＲＱタイミング・プロファイルをＵＥ特有に構成するために専用の上位層シグナリングを適用することも可能である。
【００３５】
図２は、可変数のＨＡＲＱプロセスでの異なるＨＡＲＱタイミング・プロファイルを例示する。図２に示されている例示的実施形態において、サブフレーム長は０．２５ｍｓに等しい。図２は、ＨＡＲＱプロセスの数がループ遅延と線形的にスケーリングする（すなわち、ＵＥがなおも伝送のために各ＴＴＩを使用できることを意味する）例示的オペレーションモードを例示している。各々のケースは、異なるＨＡＲＱタイミング・プロファイルに対応している。図２を見れば分かるように、第１のオペレーションモードは、各シグナリング・オプション（ａｃｋ／ｎａｃｋ信号の生成）のため、および潜在的再伝送のスケジューリングのｅＮＢ処理のために、１ｍｓという非常に短い往復時間（ＲＲＴ）を有する。他の２つのオペレーションモードでは、ａｃｋ／ｎａｃｋ信号の生成および再伝送スケジューリング決定の両方を目的として、より大きな遅延を許容するため、ＲＲＴが２または４倍に増加されたことが分かる。このアプローチでは、ＨＡＲＱプロセスの数は、このＵＥに対する連続的な再伝送を可能にするために相応してスケーリングされているということが指摘される。（図２にしたがって）ＨＡＲＱタイミング・プロファイルがＵＥのために変更される場合、これはすなわち、サブフレームあたりのＨＡＲＱバッファのサイズも同様に、適用されるＨＡＲＱタイミング・プロファイルに応じて変動していることを意味する。
【００３６】
図３は、固定された数のＨＡＲＱプロセスでの異なるＨＡＲＱタイミング・プロファイルを例示している。図３に示された例示的状況において、サブフレーム長は０．２５ｍｓに等しい。図３は、オペレーションモードに固定された数のＨＡＲＱプロセスが関与し得ること、すなわち、ＨＡＲＱループ遅延を増大させる場合にＵＥが同様に、利用可能な各々のＴＴＩ内でスケジューリングされないことを受諾し（このことはＵＥがいずれにせよ低減された処理パワーで動作しているという点で意味をなす）、したがって各ＨＡＲＱプロセスのためのメモリサイズが同じであり続けることを意味する、例示的オペレーションモードを例示している。別のオプションは、増大したＨＡＲＱループ遅延と可変的ＴＴＩ長とを組合せることである（図３には図示せず）。この実施形態では、ＴＴＩ長は、往復時間（ＲＴＴ）の増大と共に増大する。例えば、ＴＴＩ長は、それぞれ１ｍｓのＲＴＴで０．２５ｍｓ、２ｍｓのＲＴＴで１ｍｓ、４ｍｓのＲＴＴで２ｍｓであり得る。一例示的実施形態は、２倍の乗算に基づくものであり得る。しかしながら、これは単に例示を目的としたものにすぎず、処理時間についての時間調整の選択は、受信側および伝送側の両方について任意の数だけ変動し得るということを指摘しておかなければならない。
【００３７】
一例示的実施形態は、異なる使用ケースおよびＵＥクラスについて別個にコスト／複雑性および性能（処理量、レイテンシー、電力消費量）の最適化を可能にする。一例示的実施形態は、使用中に異なるＨＡＲＱタイミング・プロファイルを有するＵＥの多重化を可能にする。
【００３８】
本願発明の例示的実施形態についてここで、添付図面を参考にしながら以下でより完全に説明するが、これらの添付図面には、本願発明の全てとは言わないまでも一部の実施形態が示されている。実際、本願発明は、多くの異なる形態で実施され得、本明細書所中に記載された実施形態に限定されるものとみなされてはならず、むしろ、これらの実施形態は、この開示が、適用可能な法的要件を満たすような形で提供されている。明細書中には「ａｎ」、「ｏｎｅ」または「ｓｏｍｅ」の実施形態（単複）に言及している部分がいくつかあるが、これは必ずしもこのような言及が各々同じ実施形態（単複）に対するものであることまたは、その特徴が単一の実施形態にのみ適用されることを意味するわけではない。同様に異なる実施形態の単一の特徴を組合わせて他の実施形態を得ることもできる。同じ参照番号は、全体的に同じ要素を意味する。
【００３９】
本願発明は、ハイブリッド自動リピート要求オペレーションを支援する、任意のユーザー端末、サーバー、対応する構成要素および／または任意の通信システムまたは異なる通信システムの任意の組合せに適用可能である。通信システムは、固定通信システムまたは無線通信システム、または固定ネットワークと無線ネットワークの両方を利用する通信システムであり得る。特に無線通信において、使用されるプロトコル、通信システム、サーバーおよびユーザー端末の仕様は、急速に発展している。このような発展は、一実施形態に対する追加の変更を求める場合がある。したがって、全ての用語および表現は広義で解釈されなければならず、これらは実施形態を限定するのではなく例示するように意図されている。
【００４０】
以下では、実施形態を適用できるシステム・アーキテクチャの一例として、ＬＴＥ−Ａネットワーク要素に基づくアーキテクチャを用いて、ただしこのようなアーキテクチャに実施形態を限定することなく、異なる実施形態が説明される。これらの実施例に記載の実施形態は、ＬＴＥ−Ａ無線システムに限定されず、他の無線システム、例えばＵＭＴＳ（ユニバーサルモバイルテレコミュニケーションズシステム）、ＧＳＭ、ＥＤＧＥ、ＷＣＤＭＡ、ブルートゥースネットワーク、ＷＬＡＮまたは他の固定、移動体または無線ネットワークにおいても同様に実装可能である。一実施形態において、提示されているソリューションは、異なるものの互換性のあるＬＴＥおよびＵＭＴＳなどのシステムに属する要素間において適用され得る。
【００４１】
通信システムの一般的アーキテクチャは、図４に例示されている。図４は、全て図示されているものと実装が異なっている可能性のある論理ユニットである、一部の要素と機能的エンティティだけを示す簡略化されたシステム・アーキテクチャである。図４に示された接続は論理的接続であり、実際の物理的接続は異なるものであり得る。システムが他の機能および構造も含んでいることは当業者にとって明白である。ハイブリッド自動リピート要求オペレーションの中でまたはハイブリッド自動リピート要求オペレーションのために使用される機能、構造、要素およびプロトコルは、本願発明とは無関係であることを認識すべきである。したがって、これらについてここでさらに詳細に論述する必要はない。
【００４２】
図４の例示的無線システムは、ネットワークオペレータのネットワーク・ノード４０１を含む。ネットワーク・ノード４０１は、例えばセルのＬＴＥ−Ａ基地局ｅＮＢ、無線ネットワークコントローラ（ＲＮＣ）または任意の他のネットワーク要素またはネットワーク要素の組合せを含むことができる。ネットワーク・ノード４０１は、１つ以上のコアネットワーク（ＣＮ）要素（図４に図示せず）、例えば移動交換局（ＭＳＣ）、ＭＳＣサーバー（ＭＳＳ）、移動性管理エンティティ（ＭＭＥ）、サービングゲートウェイ（ＳＧＷ）、ゲートウェイＧＰＲＳサポートノード（ＧＧＳＮ）、サービングＧＰＲＳサポートノード（ＳＧＳＮ）、ホームロケーションレジスタ（ＨＬＲ）、ホーム加入者サーバー（ＨＳＳ）、ビジターロケーションレジスタ（ＶＬＲ）に接続され得る。図４では、ｅＮＢ（ｅｎｈａｎｃｅｄ  ｎｏｄｅ−Ｂ、ｅｖｏｌｕｅｄ  ｎｏｄｅ−Ｂ）とも呼ぶことのできる無線ネットワーク・ノード４０１または無線システムのネットワーク装置が、地上波公共移動通信ネットワークの第２のセル内で無線資源管理のための機能をホスティングする。
【００４３】
図４は、無線ネットワーク・ノード４０１のサービスエリア内に位置設定されたユーザー機器４０２を示す。ユーザー機器は、携帯式計算デバイスを意味し、これをユーザー端末と呼ぶこともできる。このような計算デバイスは、限定的な意味なく以下のタイプのデバイスを含めたハードウェアまたはソフトウェア内で加入者識別モジュール（ＳＩＭ）を伴ってまたは伴わずに動作する無線移動体通信デバイスを含む：携帯電話、スマートフォン、携帯情報端末（ＰＤＡ）、送受話器、ラップトップコンピュータ。図４の例示的状況において、ユーザー機器４０２は、それぞれ（セルラー無線）接続４０３を介して無線ネットワーク・ノード４０１に接続できる。
【００４４】
図５は、本願発明の一実施形態に係る装置のブロック図である。図５は、無線ネットワーク・ノード４０１のエリア内に位置設定されたユーザー機器４０２を示す。ユーザー機器４０２は、無線ネットワーク・ノード４０１と接続状態４０３になるように構成されている。ユーザー機器またはＵＥ４０２は、メモリ５０２およびトランシーバ５０３に動作的に接続されたコントローラ５０１、およびトランシーバ５０８を含む。コントローラ５０１は、ユーザー機器４０２のオペレーションを制御する。メモリ５０２は、ソフトウェアおよびデータを記憶するように構成されている。トランシーバ５０３は、無線ネットワーク・ノード４０１に無線接続４０３をそれぞれセットアップし維持するように構成されている。トランシーバ５０３は、アンテナ配置５０５に接続されたアンテナポートセット５０４に動作的に接続されている。アンテナ配置５０５はアンテナセットを含んでいてよい。アンテナ数は、例えば１〜４であり得る。アンテナ数は任意の特定の数に限定されない。ユーザー機器４０２は同様に、ユーザーインターフェース、カメラおよびメディアプレーヤーなどの他のさまざまな構成要素を含むこともできる。これらは、簡略化のために図中では表示されていない。
【００４５】
ＬＴＥ−Ａ（またはｂｅｙｏｎｄ  ＬＴＥ−Ａ）基地局（ｅＮｏｄｅ−Ｂ、ｅＮＢ）などの無線ネットワーク・ノード４０１は、メモリ５０７に対し動作的に接続されているコントローラ５０６、およびトランシーバ５０８を含む。コントローラ５０６は、無線ネットワーク・ノード４０１のオペレーションを制御する。メモリ５０７は、ソフトウェアおよびデータを記憶するように構成されている。トランシーバ５０８は、無線ネットワーク・ノード４０１のサービスエリア内部でユーザー機器４０２への無線接続をセットアップし維持するように構成されている。トランシーバ５０８は、アンテナ配置５０９に動作的に接続されている。アンテナ配置５０９はアンテナセットを含むことができる。アンテナの数は、例えば２〜４個であり得る。アンテナ数は、任意の特定の数に限定されない。無線ネットワーク・ノード４０１は、通信システムの別のネットワーク要素、例えば、さらなる無線ネットワーク・ノード、無線ネットワークコントローラ（ＲＮＣ）、移動性管理エンティティ（ＭＭＥ）、サービングゲートウェイ（ＳＧＷ）、ＭＳＣサーバー（ＭＳＳ）、移動交換局（ＭＳＣ）、無線資源管理（ＲＲＭ）ノード、ゲートウェイＧＰＲＳサポートノード、オペレーション、管理およびメンテナンス（ＯＡＭ）ノード、ホームロケーションレジスタ（ＨＬＲ）、ビジターロケーションレジスタ（ＶＬＲ）、サービングＧＰＲＳサポートノード、ゲートウェイ、および／またはサーバーに対して、インターフェース（図５には図示せず）を介して（直接的または間接的に）動作的に接続され得る。しかしながら、実施形態は、一例として以上に示したネットワークに限定されず、当業者は、必要な特性が具備された他の通信ネットワークにこのソリューションを適用することができる。例えば異なるネットワーク要素間の接続は、インターネットプロトコル（ＩＰ）接続を用いて実現できる。
【００４６】
装置４０１、４０２を１つのエンティティとして描写してきたが、１つ以上の物理的または論理的エンティティとして異なるモジュールおよびメモリを実装することもできる。装置は同様に、ユーザー端末およびそのユーザーを加入と関連付けるまたは関連付けるように配置されかつユーザーが通信システムと対話できるようにする１個の機器またはデバイスであるユーザー端末でもあり得る。ユーザー端末はユーザーに情報を提示し、ユーザーが情報を入力できるようにする。換言すると、ユーザー端末は、無線でまたは固定接続を介してネットワークに接続可能な、ネットワークから情報を受信しかつ／またはネットワークに情報を伝送することのできる任意の端末であり得る。ユーザー端末の例としては、パーソナルコンピュータ、ゲームコンソール、ラップトップ（ノート）型パソコン、携帯情報端末、移動局（携帯電話）、スマートフォンおよび固定電話が含まれる。
【００４７】
装置４０１、４０２は概して、メモリおよび装置のさまざまなインターフェースに接続されたプロセッサ、コントローラ、制御ユニットなどを含むことができる。概して、プロセッサは、中央処理ユニットであるが、プロセッサは追加のオペレーションプロセッサであり得る。プロセッサは、コンピュータプロセッサ、特定用途向け集積回路（ＡＳＩＣ）、フィールドプログラマブルゲートアレイ（ＦＰＧＡ）および／または、一実施形態の１つ以上の機能を実施するような形でプログラミングされた他のハードウェア構成要素を含むことができる。
【００４８】
メモリ５０２、５０７は、揮発性および／または不揮発性メモリを含むことができ、典型的にはコンテンツ、データなどを記憶する。例えば、メモリ５０２、５０７は、プロセッサが各実施形態に係る装置のオペレーションに付随するステップを実施するために、ソフトウェアアプリケーションまたはオペレーティングシステムなどのコンピュータプログラムコード、情報、データ、コンテンツなどを記憶することができる。メモリは、例えばランダム・アクセス・メモリ（ＲＡＭ）、ハードドライブ、または他の固定メモリまたは記憶デバイスであり得る。さらに、メモリまたはその一部は、装置に対し離脱可能な形で接続される着脱式メモリであり得る。本明細書中に記載されている技術は、一実施形態を用いて説明されている対応する移動体エンティティの１つ以上の機能を実装する装置が、先行技術の手段のみならず一実施形態を用いて説明されている対応する装置の１つ以上の機能を実装するための手段をも含み、かつこの装置が各々の別個の機能のための別個の手段を含むことができるかまたは手段が２つ以上の機能を実施するように構成され得るような形で、さまざまな手段により実装可能である。例えばこれらの技術を、ハードウェア（１つ以上の装置）、ファームウェア（１つ以上の装置）、ソフトウェア（１つ以上のモジュール）またはそれらの組合せの形で実装することができる。ファームウェアまたはソフトウェアについては、実装は、本明細書中に記載の機能を実施するモジュール（例えば手順、機能など）を通したものであり得る。ソフトウェアコードを、任意の好適なプロセッサ／コンピュータ可読データ記憶媒体（単複）またはメモリユニット（単複）または製造物品（単複）中に記憶させ、１つ以上のプロセッサ／コンピュータにより実行させることができる。データ記憶媒体またはメモリユニットは、プロセッサ／コンピュータの内部またはプロセッサ／コンピュータの外部に実装可能であり、その場合、それは、当該技術分野において公知の通りのさまざまな手段を介してプロセッサ／コンピュータに対し通信可能に結合され得る。
【００４９】
図６のシグナリング図は、求められるシグナリングを例示している。図６の実施例では、例えばネットワーク要素（ネットワーク・ノード（スケジューリング・ノード）、例えばＬＴＥ−Ａ−能力のある基地局（ｅｎｈａｎｃｅｄ  ｎｏｄｅ−Ｂ、ｅＮＢ））を含むことのできる装置４０１が、項目６０１において、ユーザー端末４０２のためのハイブリッド自動リピート要求プロファイルを定義することができる。代替的には、またはそれに加えて、ユーザー端末４０２のためのハイブリッド自動リピート要求プロファイルは、項目６０２（または他の任意の好適なネットワーク・ノード内）においてユーザー端末４０２内で定義可能である。項目６０３では、ユーザー端末に対して基地局４０１からダウンリンク伝送を伝送できる。項目６０４では、ユーザー端末４０２内でダウンリンク伝送を受信することができる。項目６０５では、ユーザー端末４０２から基地局４０１にアップリンク制御情報が伝送される。項目６０６では、基地局４０１内でアップリンク制御情報が受信される。項目６０７では、ダウンリンク再伝送を、基地局４０１からユーザー端末４０２に伝送できる。項目６０８では、ダウンリンク再伝送がユーザー端末４０２内で受信される。例示的実施形態によると、ハイブリッド自動リピート要求プロファイル（ダウンリンクＨＡＲＱプロファイル）は、ユーザー端末４０２内で受信されつつあるダウンリンク伝送とユーザー端末４０２から伝送されると予期されている対応するアップリンク制御情報の間の第１の時間間隔、およびユーザー端末４０２から伝送されつつあるアップリンク制御情報とユーザー端末４０２内で受信されると予期されている最も早い対応するダウンリンク再伝送との間の第２の時間間隔を標示する。
【００５０】
図７のシグナリング図は、求められるシグナリングを例示している。図７の実施例では、例えばネットワーク要素（ネットワーク・ノード（スケジューリング・ノード）、例えばＬＴＥ−Ａ−能力のある基地局（ｅｎｈａｎｃｅｄ  ｎｏｄｅ−Ｂ、ｅＮＢ））を含むことのできる装置４０１が、項目７０１において、ユーザー端末４０２のためのハイブリッド自動リピート要求プロファイルを定義することができる。代替的には、またはそれに加えて、ユーザー端末４０２のためのハイブリッド自動リピート要求プロファイルは、項目７０２（または他の任意の好適なネットワーク・ノード内）においてユーザー端末４０２内で定義可能である。項目７０３では、基地局４０１に対してユーザー端末４０２からアップリンク伝送を伝送できる。項目７０４では、基地局４０１内でアップリンク伝送を受信することができる。項目７０５では、基地局４０１からユーザー端末４０２にダウンリンク情報が伝送される。項目７０６では、ユーザー端末４０２内でダウンリンク情報が受信される。項目７０７では、アップリンク再伝送を、ユーザー端末４０２から基地局４０１に伝送できる。項目７０８では、アップリンク再伝送が基地局４０１内で受信される。例示的実施形態によると、ハイブリッド自動リピート要求プロファイル（アップリンクＨＡＲＱプロファイル）は、基地局４０１内で受信されつつあるアップリンク伝送と基地局４０１から伝送されると予期されている対応するダウンリンク情報の間の第３の時間間隔、および基地局４０１から伝送されつつあるダウンリンク情報と基地局４０１内で受信されると予期されている最も早い対応するアップリンク再伝送との間の第４の時間間隔を標示する。
【００５１】
図８は、例示的実施形態を例示する流れ図である。例えばネットワーク要素（ネットワーク・ノード（スケジューリング・ノード）、例えばＬＴＥ−Ａ−能力のある基地局（ｅｎｈａｎｃｅｄ  ｎｏｄｅ−Ｂ、ｅＮＢ）または通信ノード（ユーザー端末、ＵＥ））を含むことのできる装置４０１、４０２は、項目８０１において、ユーザー端末４０２のためのハイブリッド自動リピート要求プロファイルを定義することができる。
【００５２】
項目８０２では、基地局４０１からユーザー端末にダウンリンク情報が伝送され得る。項目８０３では、基地局４０１内でユーザー端末４０２からダウンリンク制御情報が受信され得る。項目８０４では、ダウンリンク再伝送を、基地局４０１からユーザー端末４０２に伝送できる。例示的実施形態によると、ハイブリッド自動リピート要求プロファイルは、ユーザー端末４０２内で受信されつつあるダウンリンク伝送とユーザー端末４０２から伝送されると予期されている対応するアップリンク制御情報の間の第１の時間間隔、およびユーザー端末４０２から伝送されつつあるアップリンク制御情報とユーザー端末４０２内で受信されると予期されている最も早い対応するダウンリンク再伝送との間の第２の時間間隔を標示する。
【００５３】
別のオプションは、項目８０２において、基地局４０１に対してユーザー端末４０２からアップリンク伝送を伝送できるというものである。項目８０３では、基地局４０１からユーザー端末４０２内でダウンリンク情報が受信される。項目８０４では、アップリンク再伝送を、ユーザー端末４０２から基地局４０１に伝送できる。例示的実施形態によると、ハイブリッド自動リピート要求プロファイルは、基地局４０１内で受信されつつあるアップリンク伝送と基地局４０１から伝送されると予期されている対応するダウンリンク情報の間の第３の時間間隔、および基地局４０１から伝送されつつあるダウンリンク情報と基地局４０１内で受信されると予期されている最も早い対応するアップリンク再伝送との間の第４の時間間隔を標示する。
【００５４】
図９は、例示的実施形態を例示する流れ図である。例えばネットワーク要素（ネットワーク・ノード（スケジューリング・ノード）、例えばＬＴＥ−Ａ−能力のある基地局（ｅｎｈａｎｃｅｄ  ｎｏｄｅ−Ｂ、ｅＮＢ）または通信ノード（ユーザー端末、ＵＥ））を含むことのできる装置４０１、４０２は、項目９０１において、ユーザー端末４０２のためのハイブリッド自動リピート要求プロファイルを定義することができる。
【００５５】
項目９０２において、ユーザー端末４０２内で基地局４０１からダウンリンク伝送が受信される。項目９０３では、アップリンク制御情報が、ユーザー端末４０２から基地局４０１まで伝送される。項目９０４では、ダウンリンク再伝送が、基地局４０１からユーザー端末４０２内で受信される。例示的実施形態によると、ハイブリッド自動リピート要求プロファイルは、ユーザー端末４０２内で受信されつつあるダウンリンク伝送とユーザー端末４０２から伝送されると予期されている対応するアップリンク制御情報の間の第１の時間間隔、およびユーザー端末４０２から伝送されつつあるアップリンク制御情報とユーザー端末４０２内で受信されると予期されている最も早い対応するダウンリンク再伝送との間の第２の時間間隔を標示する。
【００５６】
別のオプションは、項目９０２において、基地局４０１内でユーザー端末４０２からアップリンク伝送が受信されるというものである。項目９０３では、基地局４０１からユーザー端末４０２にダウンリンク情報が伝送される。項目９０４では、ユーザー端末４０２から基地局４０１内でアップリンク再伝送が受信される。例示的実施形態によると、ハイブリッド自動リピート要求プロファイルは、基地局４０１内で受信されつつあるアップリンク伝送と基地局４０１から伝送されると予期されている対応するダウンリンク情報の間の第３の時間間隔、および基地局４０１から伝送されつつあるダウンリンク情報と基地局４０１内で受信されると予期されている最も早い対応するアップリンク再伝送との間の第４の時間間隔を標示する。
【００５７】
一例示的実施形態において、ハイブリッド自動リピート要求プロファイルは、予め定義されるかまたはセルに対する初期アクセス中に定義される。
【００５８】
別の例示的実施形態においては、システム内でデータおよび関連する制御信号を処理するために予約されている時間を調整することにより、フレキシブルＨＡＲＱタイミングが提供される。処理には、受信機処理(制御またはデータ)および／または送信機処理(データまたは制御)が含まれ得る。
【００５９】
さらに別の例示的実施形態において、アップリンク制御情報およびダウンリンク情報のうちの少なくとも１つは、確認メッセージまたは否定的確認メッセージを含む。
【００６０】
さらに別の例示的実施形態において、アップリンク伝送は、アップリンクスケジュール済メッセージなどのアップリンクメッセージを含む。
【００６１】
さらに別の例示的実施形態において、ダウンリンク情報は、アップリンク・スケジューリング許諾メッセージを含む。
【００６２】
さらに別の例示的実施形態において、ＨＡＲＱタイミング・プロファイルは、デバイス特有（ユーザー端末特有）、デバイス・タイプ特有、セル特有およびサービスタイプ特有である。
【００６３】
さらに別の例示的実施形態においては、ＨＡＲＱタイミング・プロファイルに関与する変動数または固定数の異なるＨＡＲＱプロセスが定義される。
【００６４】
さらに別の例示的実施形態においては、ＨＡＲＱプロファイルに関与する異なるＨＡＲＱプロセスのために可変的伝送時間間隔ＴＴＩの長さが定義される。
【００６５】
さらに別の例示的実施形態においては、周波数および時間資源を含む共通の資源空間内に、多数のＨＡＲＱタイミング・プロファイルが共存している。
【００６６】
さらに別の例示的実施形態においては、ユーザー端末の能力クラスに基づいて、ユーザー端末のためのＨＡＲＱループタイミングが定義される。
【００６７】
さらに別の例示的実施形態において、ユーザー端末は、高速応答能力あるユーザー端末として定義されるか、または、ユーザー端末は下位ＨＡＲＱループ遅延能力あるユーザー端末として定義される。
【００６８】
さらに別の例示的実施形態においては、システム内の既定の事象に応答して、１つのアクティブセッション中にユーザー端末のためにＨＡＲＱループ遅延が動的に再構成される。
【００６９】
さらに別の例示的実施形態においては、異なるＨＡＲＱタイミング・プロファイルを有するユーザー端末のために共有制御チャネル内で別個のＨＡＲＱ−ＡＣＫ制御チャネル部分が定義される。
【００７０】
さらに別の例示的実施形態においては、ＨＡＲＱタイミング・プロファイルにしたがって、１サブフレームあたりのＨＡＲＱバッファのサイズとＨＡＲＱプロセスの最大数が定義される。
【００７１】
さらに別の例示的実施形態においては、ユーザー端末のための２方向ＨＡＲＱプロファイルが定義され、２方向ＨＡＲＱプロファイルにはユーザー端末のためのダウンリンクＨＡＲＱプロファイルとアップリンクＨＡＲＱプロファイルが含まれる。
【００７２】
さらに別の例示的実施形態においては、少なくとも１つのプロセッサと、コンピュータプログラムコードを含む少なくとも１つのメモリとを含む装置において、少なくとも１つのメモリおよびコンピュータプログラムコードが、少なくとも１つのプロセッサと共に装置に例示的実施形態に係る方法を実施させるように構成されている装置が提供されている。
【００７３】
図１〜９の中で上述したステップ／ポイント、シグナリングメッセージおよび関連する機能は、絶対的な発生順には全くなっておらず、ステップ／ポイントの一部は、同時にまたは示されている順序とは異なる順序で実施可能である。ステップ／ポイント間またはステップ／ポイント内および例示されたメッセージ間に送られる他のシグナリングメッセージの中で、他の機能を実行することもできる。ステップ／ポイントのいくつかまたはステップ／ポイントの一部分を省略するかまたは対応するステップ／ポイントまたはステップ／ポイントの一部分によって置換することも同様に可能である。装置のオペレーションは、１つ以上の物理的または論理的エンティティ内で実装できる手順を例示している。シグナリングメッセージは単に例示的なものにすぎず、同じ情報を伝送するために複数の別個のメッセージを含むことさえできる。さらに、メッセージは同様に他の情報を含むこともできる。
【００７４】
当業者にとって、技術の進歩に伴って、さまざまな形で発明力ある概念を実装できるということは明白である。本願発明およびその実施形態は、上述の実施例に限定されず、クレームの範囲内で変動し得る。
【００７５】
略語リスト
３ＧＰＰ  第３世代パートナーシッププロジェクト
ＬＴＥ  ロングタームエボリューション
ＵＥ  ユーザー機器
ＱｏＳ  サービス品質
ＨＡＲＱ  ハイブリッド自動リピート要求
ＭＴＣ  マシンタイプ通信
ＬＴＥ−Ａ  ロングタームエボリューション−アドヴァンスト
ＨＳＰＡ  高速パケットアクセス
ＰＵＣＣＨ  物理的アップリンク制御チャンネル
ＰＨＩＣＨ  物理的ハイブリッド−ＡＲＱインジケータチャネル
ＴＴＩ  伝送時間間隔
【図１】
2017518659.tif 000003
【図２】
2017518659.tif 000004
【図３】
2017518659.tif 000005
【図４】
2017518659.tif 000006
【図５】
2017518659.tif 000007
【図６】
2017518659.tif 000008
【図７】
2017518659.tif 000009
【図８】
2017518659.tif 000010
【図９】
2017518659.tif 000011
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
通信システムにおける伝送制御方法であって、該方法は、ネットワーク装置において、利用可能な複数のハイブリッド自動リピート要求プロファイルの中からユーザ端末のためのハイブリッド自動リピート要求プロファイルを定義するステップを含み、
前記ハイブリッド自動リピート要求プロファイルが、
前記ユーザ端末において受信されるダウンリンク伝送と、前記ユーザ端末から伝送されると予期される対応するアップリンク制御情報との間の第１の時間間隔と、
前記ユーザ端末から伝送される前記アップリンク制御情報と、最も早くて、前記ユーザ端末において受信されると予期される対応するダウンリンク再伝送との間の第２の時間間隔と、
を標示する、
または、
前記ハイブリッド自動リピート要求プロファイルが、
基地局において受信されるアップリンク伝送と、前記基地局から伝送されると予期される対応するダウンリンク情報との間の第３の時間間隔と、
前記基地局から伝送される前記ダウンリンク情報と、最も早くて、前記基地局において受信されると予期され対応するアップリンク再伝送との間の第４の時間間隔と、を標示する、
方法。
【請求項２】
前記ハイブリッド自動リピート要求プロファイルが、予め定義されるか、または、セルに対する初期アクセス中に定義される請求項１に記載の方法。
【請求項３】
前記方法は、前記通信システムにおいてデータおよび関連する制御信号を処理するために予約される時間を調整することにより、フレキシブルハイブリッド自動リピート要求タイミングを提供するステップを更に含む、請求項１または２のいずれか１項に記載の方法。
【請求項４】
前記アップリンク制御情報および前記ダウンリンク情報のうちの少なくとも１つが、確認メッセージまたは、否定的確認メッセージを含む請求項１ないし３のいずれか１項に記載の方法。
【請求項５】
前記アップリンク伝送が、アップリンク・スケジュールされたメッセージを含む請求項１ないし４のいずれか１項に記載の方法。
【請求項６】
前記ダウンリンク情報がアップリンク・スケジューリング許諾メッセージを含む請求項１ないし５のいずれか１項に記載の方法。
【請求項７】
前記ハイブリッド自動リピート要求プロファイルが、デバイス特有、デバイス・タイプ特有、セル特有およびサービス・タイプ特有のうちの１つ以上である請求項１ないし６のいずれか１項に記載の方法。
【請求項８】
前記方法は、前記ハイブリッド自動リピート要求プロファイルに関与する変動数または固定数の異なるハイブリッド自動リピート要求プロセスを定義するステップを更に含む、請求項１ないし７のいずれか１項に記載の方法。
【請求項９】
前記方法は、前記ハイブリッド自動リピート要求プロファイルに関与する異なるハイブリッド自動リピート要求プロセスのための可変的伝送時間間隔ＴＴＩの長さを定義するステップを更に含む、請求項１ないし８のいずれか１項に記載の方法。
【請求項１０】
周波数および時間資源を含む共通の資源空間において、多数のハイブリッド自動リピート要求プロファイルが共存する請求項１ないし９のいずれか１項に記載の方法。
【請求項１１】
前記方法は、前記ユーザ端末の能力クラスに基づいて、前記ユーザ端末のためのハイブリッド自動リピート要求ループタイミングを定義するステップを更に含む、請求項１ないし１０のいずれか１項に記載の方法。
【請求項１２】
前記方法は、前記ユーザ端末が高速応答能力のあるユーザ端末であること、または、
前記ユーザ端末が下位ハイブリッド自動リピート要求ループ遅延能力あるユーザ端末であること
を定義するステップを更に含む、請求項１ないし１１のいずれか１項に記載の方法。
【請求項１３】
前記方法は、前記通信システムにおける所定のイベントに応答して、１つのアクティブ・セッション中に前記ユーザ端末のために動的にハイブリッド自動リピート要求ループ遅延を再構成するステップを更に含む、請求項１ないし１２のいずれか１項に記載の方法。
【請求項１４】
前記方法は、異なるハイブリッド自動リピート要求プロファイルを有するユーザ端末のために共有制御チャネルにおいて別個のＨＡＲＱ−ＡＣＫ制御チャネル部分を定義するステップを更に含む、請求項１ないし１３のいずれか１項に記載の方法。
【請求項１５】
前記方法は、前記ハイブリッド自動リピート要求プロファイルにしたがって、１サブフレームあたりのハイブリッド自動リピート要求バッファのサイズと、ハイブリッド自動リピート要求プロセスの最大数とのうちの少なくとも１つを定義するステップを更に含む、請求項１ないし１４のいずれか１項に記載の方法。
【請求項１６】
前記方法は、前記２方向ハイブリッド自動リピート要求プロファイルが、前記ユーザ端末のためのダウンリンクハイブリッド自動リピート要求プロファイルと、アップリンクハイブリッド自動リピート要求プロファイルとを含む、前記ユーザ端末のための２方向ハイブリッド自動リピート要求プロファイルを定義するステップを更に含む、請求項１ないし１５のいずれか１項に記載の方法。
【請求項１７】
少なくとも１つのプロセッサと、コンピュータ・プログラム・コードを含む少なくとも１つのメモリとを含む装置において、
前記少なくとも１つのメモリおよび前記コンピュータ・プログラム・コードが、前記少なくとも１つのプロセッサと共に、前記装置に、利用可能な複数のハイブリッド自動リピート要求プロファイルの中からユーザ端末のためのハイブリッド自動リピート要求プロファイルを定義させるように構成され、
前記ハイブリッド自動リピート要求プロファイルが、
前記ユーザ端末において受信されるダウンリンク伝送と、前記ユーザ端末から伝送されると予期される対応するアップリンク制御情報との間の第１の時間間隔と、
前記ユーザ端末から伝送されるアップリンク制御情報と、最も早くて、前記ユーザ端末において受信されると予期される対応するダウンリンク再伝送との間の第２の時間間隔と、
を標示する、
または、
前記ハイブリッド自動リピート要求プロファイルが、
基地局において受信されるアップリンク伝送と、前記基地局から伝送されると予期される対応するダウンリンク情報との間の第３の時間間隔と、基地局から送信されている前記ダウンリンク情報と、
最も早くて、前記基地局において受信されると予期され対応するアップリンク再伝送との間の第４の時間間隔と、
を標示する、装置。
【請求項１８】
コンピュータ上で実行されるとき、利用可能な複数のハイブリッド自動リピート要求プロファイルの中からユーザ端末のためのハイブリッド自動リピート要求プロファイルを定義するステップを実行するように構成され、
前記ハイブリッド自動リピート要求プロファイルが、
前記ユーザ端末において受信されるダウンリンク伝送と、前記ユーザ端末から伝送されると予期される対応するアップリンク制御情報との間の第１の時間間隔と、
前記ユーザ端末から伝送されるアップリンク制御情報と、最も早くて、前記ユーザ端末において受信されると予期される対応するダウンリンク再伝送との間の第２の時間間隔と、
を標示する、
または、
前記ハイブリッド自動リピート要求プロファイルが、
基地局において受信されるアップリンク伝送と、前記基地局から伝送されると予期される対応するダウンリンク情報との間の第３の時間間隔と、
基地局から送信されている前記ダウンリンク情報と、最も早くて、前記基地局において受信されると予期される対応するアップリンク再伝送との間の第４の時間間隔と、
を標示する、プログラムコードを備えるコンピュータ・プログラム。
【国際調査報告】
2017518659.tif 000012
2017518659.tif 000013
2017518659.tif 000014